(57)【特許請求の範囲】
【請求項１】
絶縁ガスが充填された圧力容器内に収容され、上記圧力容器内に配置された三相の導体に流れる電流を検出する三相一括形変流器であって、
上記三相の導体が挿通される第１ないし第３の導体貫通孔と、上記第１ないし第３の導体貫通孔の周囲にそれぞれ形成されている円環状の第１ないし第３のコイル挿入溝とを有し、上記圧力容器内に固定されている金属アダプタ、及び
上記第１ないし第３のコイル挿入溝内にそれぞれ配置されている第１ないし第３の空芯コイル
を備え、上記金属アダプタは、接地電位にされ磁気シールドを兼ねることを特徴とする三相一括形変流器。
【請求項２】
１枚の平板状の金属アダプタに第１ないし第３の導体貫通孔と第１ないし第３のコイル挿入溝とが設けられていることを特徴とする請求項１記載の三相一括形変流器。
【請求項３】
金属アダプタは、三相の導体と直交する面と平行なコイル挿入面を有しており、上記コイル挿入面には、第１ないし第３のコイル挿入溝が形成されているとともに、上記三相の導体間を仕切るように圧力容器の中心から放射状に延びる相間磁気シールドが固定されていることを特徴とする請求項２記載の三相一括形変流器。
【請求項４】
コイル挿入面には、三相の導体と相間磁気シールドとを囲繞する円筒状の外周磁気シールドが固定されていることを特徴とする請求項３記載の三相一括形変流器。
【請求項５】
相間磁気シールドの金属アダプタとは反対側の端部には、三相の導体が挿通される３つの孔を有する平板状の端部磁気シールドが固定されていることを特徴とする請求項３又は請求項４に記載の三相一括形変流器。
【請求項６】
金属アダプタは、第１の導体貫通孔と第１のコイル挿入溝とが設けられている第１の金属板と、第２の導体貫通孔と第２のコイル挿入溝とが設けられている第２の金属板と、第３の導体貫通孔と第３のコイル挿入溝とが設けられている第３の金属板とを有しており、上記第１ないし第３の金属板は、互いに固定されていることを特徴とする請求項１記載の三相一括形変流器。
【請求項７】
導体の長手方向への第１ないし第３の金属板の位置が互いにずらされており、上記第１ないし第３の金属板は、上記導体の長手方向における端面で部分的に互いに接合されていることを特徴とする請求項６記載の三相一括形変流器。
【請求項８】
絶縁ガスが充填された圧力容器内に収容され、上記圧力容器内に配置された三相の導体に流れる電流を検出する三相一括形変流器であって、
上記三相の導体が挿通される第１ないし第３の導体貫通孔と、上記第１ないし第３の導体貫通孔の周囲にそれぞれ形成されている円環状の第１ないし第３のスペーサ溝とを有し、かつ上記圧力容器内に固定され、上記圧力容器に対して上記三相の導体を電気的に絶縁しつつ支持する平板状の絶縁スペーサ、及び
上記第１ないし第３のスペーサ溝内にそれぞれ配置されている第１ないし第３の空芯コイル
を備えていることを特徴とする三相一括形変流器。
【請求項９】
第１ないし第３のスペーサ溝内には、それぞれ円環状のコイル挿入溝が形成されているリング状の第１ないし第３の金属アダプタが配置されており、上記第１ないし第３の空芯コイルは、上記第１ないし第３の金属アダプタの上記コイル挿入溝内にそれぞれ配置されており、上記第１ないし第３の金属アダプタは、そけぞれ接地電位にされて磁気シールドを兼ねていることを特徴とする請求項８記載の三相一括形変流器。
【請求項１０】
空芯コイルは、ロゴスキーコイルであることを特徴とする請求項１ないし請求項９のいずれかに記載の三相一括形変流器。
【発明の詳細な説明】
【０００１】
【発明の属する技術分野】
この発明は、三相一括形のガス絶縁開閉器やガス絶縁母線等に設けられ、三相の導体に流れる電流を検出する変流器に係り、特に３つの空芯コイルが圧力容器内に一括して収容されている三相一括形変流器に関するものである。
【０００２】
【従来の技術】
従来、二次系情報伝達信号としてアナログ信号を用いる変流器が広く用いられている。このような変流器では、鉄心コイルを用いて主回路電流値が検出され、検出された電流値はアナログ信号により二次系へ出力される。また、鉄心コイルには断面積の大きい鉄心が使用されている。これは、電磁リレー等を動作させるために、ある程度の電力を確保する必要があり、かつ磁気飽和による検出精度の低下を防ぐためである。
【０００３】
しかし、近年、二次系情報伝達信号のデジタル化が進められている。デジタル信号を出力する変流器では、確保する電力が微小でよいため、断面積が小さく磁気飽和の無いロゴスキーコイル等の空芯コイルが使用される。
【０００４】
ここで、鉄心コイルに使用される鉄心は強磁性体であり、自相を流れる電流によって発生する磁束は鉄心内に取り込まれてしまう。このため、三相一括形変流器に鉄心コイルを用いた場合、他相のコイルに及ぼす磁気的影響は微少である。しかし、ロゴスキーコイル等の空芯コイルでは、高分子部材等の非磁性体が用いられているため、自相の電流による磁束が他相にまで到達し、他相のコイルに与える磁気的影響が大きい。従って、空芯コイルを用いた三相一括形変流器では、相間に磁気シールドを設ける必要がある。
【０００５】
図８は例えば特開平１０−１８５９６１号公報に示された従来の三相一括形変流器の断面図である。図において、絶縁・消弧性ガスであるＳＦ6ガスが充填された円筒状の圧力容器１内には、三相の導体２ａ〜２ｃが収容されている。三相の導体２ａ〜２ｃは、空芯コイルである第１ないし第３のロゴスキーコイル３ａ〜３ｃにより囲繞されている。第１ないし第３のロゴスキーコイル３ａ〜３ｃは、導体２ａ〜２ｃに流れる電流値に比例した電流信号が得られる電流センサである。三相の導体２ａ〜２ｃ間には、他の相の磁界の影響を緩和するための複数の磁気シールド４が配置されている。
【０００６】
【発明が解決しようとする課題】
上記のように構成された従来の三相一括形変流器においては、第１ないし第３のロゴスキーコイル３ａ〜３ｃがそれぞれ別々に圧力容器１内に固定されているため、第１ないし第３のロゴスキーコイル３ａ〜３ｃの支持構造が複雑になってしまう。
【０００７】
この発明は、上記のような問題点を解決することを課題としてなされたものであり、圧力容器内への空芯コイルの支持構造を簡単にすることができる三相一括形変流器を得ることを目的とする。
【０００８】
【課題を解決するための手段】
請求項１の発明に係る三相一括形変流器は、絶縁ガスが充填された圧力容器内に収容され、圧力容器内に配置された三相の導体に流れる電流を検出するものであって、三相の導体が挿通される第１ないし第３の導体貫通孔と、第１ないし第３の導体貫通孔の周囲にそれぞれ形成されている円環状の第１ないし第３のコイル挿入溝とを有し、圧力容器内に固定されている金属アダプタ、及び第１ないし第３のコイル挿入溝内にそれぞれ配置されている第１ないし第３の空芯コイルを備え、金属アダプタは、接地電位にされ磁気シールドを兼ねるものである。
【０００９】
請求項２の発明に係る三相一括形変流器は、１枚の平板状の金属アダプタに第１ないし第３の導体貫通孔と第１ないし第３のコイル挿入溝とが設けられているものである。
【００１０】
請求項３の発明に係る三相一括形変流器は、三相の導体と直交する面と平行なコイル挿入面を有する金属アダプタが用いられ、コイル挿入面には、第１ないし第３のコイル挿入溝が形成され、三相の導体間を仕切るように圧力容器の中心から放射状に延びる相間磁気シールドが固定されているものである。
【００１１】
請求項４の発明に係る三相一括形変流器は、三相の導体と相間磁気シールドとを囲繞する円筒状の外周磁気シールドがコイル挿入面に固定されているものである。
【００１２】
請求項５の発明に係る三相一括形変流器は、相間磁気シールドの金属アダプタとは反対側の端部に、三相の導体が挿通される３つの孔を有する平板状の端部磁気シールドが固定されているものである。
【００１３】
請求項６の発明に係る三相一括形変流器は、第１の導体貫通孔と第１のコイル挿入溝とが設けられている第１の金属板と、第２の導体貫通孔と第２のコイル挿入溝とが設けられている第２の金属板と、第３の導体貫通孔と第３のコイル挿入溝とが設けられている第３の金属板とを有する金属アダプタが用いられ、第１ないし第３の金属板は、互いに固定されているものである。
【００１４】
請求項７の発明に係る三相一括形変流器は、導体の長手方向への第１ないし第３の金属板の位置が互いにずらされており、第１ないし第３の金属板は、導体の長手方向における端面で部分的に互いに接合されているものである。
【００１５】
請求項８の発明に係る三相一括形変流器は、絶縁ガスが充填された圧力容器内に収容され、圧力容器内に配置された三相の導体に流れる電流を検出するものであって、三相の導体が挿通される第１ないし第３の導体貫通孔と、第１ないし第３の導体貫通孔の周囲にそれぞれ形成されている円環状の第１ないし第３のスペーサ溝とを有し、かつ圧力容器内に固定され、圧力容器に対して三相の導体を電気的に絶縁しつつ支持する平板状の絶縁スペーサ、及び第１ないし第３のスペーサ溝内にそれぞれ配置されている第１ないし第３の空芯コイルを備えたものである。
【００１６】
請求項９の発明に係る三相一括形変流器は、それぞれ円環状のコイル挿入溝が形成されているリング状の第１ないし第３の金属アダプタが第１ないし第３のスペーサ溝内に配置されており、第１ないし第３の空芯コイルは、第１ないし第３の金属アダプタのコイル挿入溝内にそれぞれ配置されており、第１ないし第３の金属アダプタは、そけぞれ接地電位にされて磁気シールドを兼ねているものである。
【００１７】
請求項１０の発明に係る三相一括形変流器は、空芯コイルとしてロゴスキーコイルを用いたものである。
【００１８】
【発明の実施の形態】
以下、この発明の実施の形態を図について説明する。
実施の形態１．
図１はこの発明の実施の形態１による三相一括形変流器の断面図、図２は図１のＩＩ−ＩＩ線に沿う断面図である。なお、図１は図２のＩ−Ｉ線に沿う断面図である。
【００１９】
図において、絶縁・消弧性ガスであるＳＦ6ガスが充填された円筒状の圧力容器１内には、三相の導体２ａ〜２ｃが収容されている。また、圧力容器１内には、平板状（円板状）の金属アダプタ１１が固定されている。金属アダプタ１１は、三相の導体２ａ〜２ｃが挿通される第１ないし第３の導体貫通孔１２ａ〜１２ｃを有している。
【００２０】
また、金属アダプタ１１は、三相の導体２ａ〜２ｃと直交する面と平行なコイル挿入面１１ａを有している。コイル挿入面１１ａの第１ないし第３の導体貫通孔１２ａ〜１２ｃの周囲には、円環状の第１ないし第３のコイル挿入溝１３ａ〜１３ｃが形成されている。
【００２１】
第１ないし第３のコイル挿入溝１３ａ〜１３ｃ内には、第１ないし第３の空芯コイルである円環状の第１ないし第３のロゴスキーコイル３ａ〜３ｃがそれぞれ配置されている。三相の導体２ａ〜２ｃは、第１ないし第３のロゴスキーコイル３ａ〜３ｃにより囲繞されている。
【００２２】
第１ないし第３のロゴスキーコイル３ａ〜３ｃは、第１ないし第３のコイル挿入溝１３ａ〜１３ｃの内壁面に対して間隔をおいて第１ないし第３のコイル挿入溝１３ａ〜１３ｃ内に配置されている。金属アダプタ１１は、接地電位にされており、磁気シールドを兼ねている。
【００２３】
金属アダプタ１１のコイル挿入面１１ａには、三相の導体２ａ〜２ｃ間を仕切るように圧力容器１の中心から放射状に延びる相間磁気シールド１４が固定されている。また、コイル挿入面１１ａには、三相の導体２ａ〜２ｃと相間磁気シールド１４とを囲繞する円筒状の外周磁気シールド１５が固定されている。
【００２４】
相間磁気シールド１４の金属アダプタ１１とは反対側の端部には、三相の導体２ａ〜２ｃが挿通される３つの孔１６ａを有する平板状（円板状）の端部磁気シールド１６が固定されている。
【００２５】
このような三相一括形変流器では、共通の金属アダプタ１１に設けられた第１ないし第３のコイル挿入溝１３ａ〜１３ｃ内に、第１ないし第３のロゴスキーコイル３ａ〜３ｃが配置されているため、金属アダプタ１１を圧力容器１に固定するだけで第１ないし第３のロゴスキーコイル３ａ〜３ｃを圧力容器１内に固定することができる。従って、圧力容器１内への第１ないし第３のロゴスキーコイル３ａ〜３ｃの支持構造を簡単にすることができ、変流器の小形化を図ることができる。
【００２６】
また、金属アダプタ１１は磁気シールドを兼ねているため、導体２ａ〜２ｃの長手方向への変流器の寸法を削減することができ、開閉装置全体の小形化を図ることができる。さらに、１枚の平板状の金属アダプタ１１に第１ないし第３の導体貫通孔１２ａ〜１２ｃと第１ないし第３のコイル挿入溝１３ａ〜１３ｃとが設けられているので、構造を簡単にすることができる。
【００２７】
さらに、金属アダプタ１１のコイル挿入面１１ａに相間磁気シールド１４が固定されているため、相間磁気シールド１４の支持構造を簡単にすることができ、変流器の小形化を図ることができる。
【００２８】
さらにまた、三相の導体２ａ〜２ｃと相間磁気シールド１４とが円筒状の外周磁気シールド１５により囲繞されているので、相間磁気シールド１４と圧力容器１との間からの他相の電磁波の進入を抑制することができ、検出精度を向上させることができる。また、外周磁気シールド１５がコイル挿入面１１ａに固定されているので、外周磁気シールド１５の支持構造を簡単にすることができる。
【００２９】
また、端部磁気シールド１６を用いたので、相間磁気シールド１４の端部からの他相の電磁波の進入を抑制することができ、検出精度を向上させることができる。
【００３０】
なお、金属アダプタ１１及び磁気シールド１４，１５，１６の材料としては、交流成分による磁界の影響を緩和するために導伝率の高い材料（例えば銅又はアルミニウム等）が用いられるか、直流成分による磁界の影響を緩和するために透磁率の高い材料（例えば鉄等）が用いられるか、若しくはこれらの材料が組み合わせて用いられる。これにより、他相からの電磁波の影響を効率よく除去することができる。
【００３１】
実施の形態２．
次に、図３はこの発明の実施の形態２による三相一括形変流器を示す正面図、図４は図３の三相一括形変流器を一部断面で示す側面図である。図において、図１に示した圧力容器１内には、金属アダプタ２０が固定されている。金属アダプタ２０は、第１ないし第３の金属板２１〜２３を有している。
【００３２】
導体２ａ〜２ｃの長手方向への第１ないし第３の金属板２１〜２３の位置は互いにずらされており、第１ないし第３の金属板２１〜２３は、導体２ａ〜２ｃの長手方向における端面で部分的に互いに接合され一体化されている。
【００３３】
第１の金属板２１には、第１の導体貫通孔２１ａと円環状の第１のコイル挿入溝２１ｂとが設けられている。第２の金属板２２には、第２の導体貫通孔２２ａと円環状の第２のコイル挿入溝２２ｂとが設けられている。第３の金属板２３には、第３の導体貫通孔２３ａと円環状の第３のコイル挿入溝２３ｂとが設けられている。
【００３４】
第１ないし第３のコイル挿入溝２１ｂ，２２ｂ，２３ｂ内には、第１ないし第３のロゴスキーコイル３ａ〜３ｃがそれぞれ配置されている。三相の導体２ａ〜２ｃは、第１ないし第３のロゴスキーコイル３ａ〜３ｃにより囲繞されている。
【００３５】
第１ないし第３のロゴスキーコイル３ａ〜３ｃは、第１ないし第３のコイル挿入溝２１ｂ，２２ｂ，２３ｂの内壁面に対して間隔をおいて第１ないし第３のコイル挿入溝２１ｂ，２２ｂ，２３ｂ内に配置されている。金属アダプタ２０は、接地電位にされており、磁気シールドを兼ねている。
【００３６】
このような三相一括形変流器では、一体化された金属アダプタ２０に設けられた第１ないし第３のコイル挿入溝２１ｂ，２２ｂ，２３ｂ内に、第１ないし第３のロゴスキーコイル３ａ〜３ｃが配置されているため、金属アダプタ２０を圧力容器１に固定するだけで第１ないし第３のロゴスキーコイル３ａ〜３ｃを圧力容器１内に固定することができる。従って、圧力容器１内への第１ないし第３のロゴスキーコイル３ａ〜３ｃの支持構造を簡単にすることができ、変流器の小形化を図ることができる。
【００３７】
また、金属アダプタ２０は磁気シールドを兼ねているため、導体２ａ〜２ｃの長手方向への変流器の寸法を削減することができ、開閉装置全体の小形化を図ることができる。さらに、導体２ａ〜２ｃの長手方向への第１ないし第３の金属板２１〜２３の位置が互いにずらされており、第１ないし第３の金属板２１〜２３は、導体２ａ〜２ｃの長手方向における端面で互いに固定され、導体２ａ〜２ｃ長手方向に折り重なるように一体化されているので、相間の絶縁距離を確保しつつ相間距離を縮小することができ、変流器の小形化を図ることができる。
【００３８】
なお、金属アダプタ２０の材料としては、交流成分による磁界の影響を緩和するために導伝率の高い材料（例えば銅又はアルミニウム等）が用いられるか、直流成分による磁界の影響を緩和するために透磁率の高い材料（例えば鉄等）が用いられるか、若しくはこれらの材料が組み合わせて用いられる。これにより、他相からの電磁波の影響を効率よく除去することができる。
【００３９】
実施の形態３．
次に、図５はこの発明の実施の形態３による三相一括形変流器を示す正面図である。図において、図１に示した圧力容器１内には、絶縁材からなる三相一括形の平板状（円板状）の絶縁スペーサ３１が固定されている。三相の導体２ａ〜２ｃは、絶縁スペーサ３１により圧力容器１に対して電気的に絶縁されつつ支持されている。
【００４０】
絶縁スペーサ３１は、三相の導体２ａ〜２ｃが挿通される第１ないし第３の導体貫通孔３２ａ〜３２ｃと、第１ないし第３の導体貫通孔３２ａ〜３２ｃの周囲にそれぞれ形成されている円環状の第１ないし第３のスペーサ溝３３ａ〜３３ｃとを有している。第１ないし第３のロゴスキーコイル３ａ〜３ｃは、第１ないし第３のスペーサ溝３３ａ〜３３ｃの内壁面に対して間隔をおいて第１ないし第３のスペーサ溝３３ａ〜３３ｃ内に配置されている。
【００４１】
このような三相一括形変流器では、絶縁スペーサ３１を利用して第１ないし第３のロゴスキーコイル３ａ〜３ｃを圧力容器１内に固定したので、圧力容器１内への第１ないし第３のロゴスキーコイル３ａ〜３ｃの支持構造を簡単にすることができ、変流器の小形化を図ることができる。また、材料費の低減及び機器の省スペース化を図ることができる。
【００４２】
実施の形態４．
次に、図６はこの発明の実施の形態４による三相一括形変流器を示す正面図、図７は図６のＶＩＩ−ＶＩＩ線に沿う断面図である。図において、第１ないし第３のスペーサ溝３３ａ〜３３ｃ内には、それぞれ円環状のコイル挿入溝３４ａ〜３４ｃが形成されているリング状の第１ないし第３の金属アダプタ３５ａ〜３５ｃが配置されてている。
【００４３】
第１ないし第３のロゴスキーコイル３ａ〜３ｃは、コイル挿入溝３４ａ〜３４ｃの内壁面に対して間隔をおいてコイル挿入溝３４ａ〜３４ｃ内に配置されている。第１ないし第３の金属アダプタ３５ａ〜３５ｃは、接地電位にされており、磁気シールドを兼ねている。
【００４４】
このような三相一括形変流器では、絶縁スペーサ３１を利用して第１ないし第３のロゴスキーコイル３ａ〜３ｃを圧力容器１内に固定したので、圧力容器１内への第１ないし第３のロゴスキーコイル３ａ〜３ｃの支持構造を簡単にすることができ、変流器の小形化を図ることができる。
【００４５】
また、磁気シールドを兼ねる金属アダプタ３５ａ〜３５ｃを介して、第１ないし第３のロゴスキーコイル３ａ〜３ｃが絶縁スペーサ３１に取り付けられているので、電磁波の進入を抑制することができ、検出精度を向上させることができる。
【００４６】
なお、実施の形態４に示した変流器に、実施の形態１に示した相間磁気シールド１４、外周磁気シールド１５及び端部磁気シールド１６を組み合わせてもよく、検出精度をさらに向上させることができる。
【００４７】
また、第１ないし第３の金属アダプタ３５ａ〜３５ｃの材料としては、交流成分による磁界の影響を緩和するために導伝率の高い材料（例えば銅又はアルミニウム等）が用いられるか、直流成分による磁界の影響を緩和するために透磁率の高い材料（例えば鉄等）が用いられるか、若しくはこれらの材料が組み合わせて用いられる。これにより、他相からの電磁波の影響を効率よく除去することができる。
【００４８】
さらに、上記実施の形態１〜４では、長手方向に垂直な断面において、三相の導体２ａ〜２ｃが正三角形の頂点に配置されているが、これに限定されるものではなく、例えば二等辺三角形の頂点に配置してもよく、また一直線上に配置してもよい。
さらに、上記実施の形態１〜４では、ガス絶縁開閉装置に適用される変流器について示したが、三相一括形のガス絶縁母線に適用することもできる。
【００４９】
【発明の効果】
以上説明したように、請求項１の発明の三相一括形変流器は、金属アダプタに設けられた第１ないし第３のコイル挿入溝内に、第１ないし第３の空芯コイルが配置されているため、圧力容器内への第１ないし第３の空芯コイルの支持構造を簡単にすることができ、変流器の小形化を図ることができる。また、金属アダプタは磁気シールドを兼ねているため、導体の長手方向への変流器の寸法を削減することができ、開閉装置全体の小形化を図ることができる。
【００５０】
請求項２の発明の三相一括形変流器は、１枚の平板状の金属アダプタに第１ないし第３の導体貫通孔と第１ないし第３のコイル挿入溝とが設けられているので、構造を簡単にすることができる。
【００５１】
請求項３の発明の三相一括形変流器は、金属アダプタのコイル挿入面に相間磁気シールドが固定されているため、相間磁気シールドの支持構造を簡単にすることができ、変流器の小形化を図ることができる。
【００５２】
請求項４の発明の三相一括形変流器は、三相の導体と相間磁気シールドとが円筒状の外周磁気シールドにより囲繞されているので、相間磁気シールドと圧力容器との間からの他相の電磁波の進入を抑制することができ、検出精度を向上させることができる。また、外周磁気シールドがコイル挿入面に固定されているので、外周磁気シールドの支持構造を簡単にすることができる。
【００５３】
請求項５の発明の三相一括形変流器は、相間磁気シールドの金属アダプタとは反対側の端部に、端部磁気シールドが固定されているので、相間磁気シールドの端部からの他相の電磁波の進入を抑制することができ、検出精度を向上させることができる。
【００５４】
請求項６の発明の三相一括形変流器は、一体化された金属アダプタに設けられた第１ないし第３のコイル挿入溝内に、第１ないし第３の空芯コイルが配置されているため、金属アダプタを圧力容器に固定するだけで第１ないし第３の空芯コイルを圧力容器内に固定することができる。従って、圧力容器内への第１ないし第３の空芯コイルの支持構造を簡単にすることができ、変流器の小形化を図ることができる。また、金属アダプタは磁気シールドを兼ねているため、導体の長手方向への変流器の寸法を削減することができ、開閉装置全体の小形化を図ることができる。
【００５５】
請求項７の発明の三相一括形変流器は、導体の長手方向への第１ないし第３の金属板の位置が互いにずらされており、第１ないし第３の金属板は、導体の長手方向における端面で部分的に互いに接合されているので、相間の絶縁距離を確保しつつ相間距離を縮小することができ、変流器の小形化を図ることができる。
【００５６】
請求項８の発明の三相一括形変流器は、絶縁スペーサを利用して第１ないし第３の空芯コイルを圧力容器内に固定したので、圧力容器内への第１ないし第３の空芯コイルの支持構造を簡単にすることができ、変流器の小形化を図ることができる。また、材料費の低減及び機器の省スペース化を図ることができる。
【００５７】
請求項９の発明の三相一括形変流器は、磁気シールドを兼ねる金属アダプタを介して、第１ないし第３の空芯コイルが絶縁スペーサに取り付けられているので、電磁波の進入を抑制することができ、検出精度を向上させることができる。
【００５８】
請求項１０の発明の三相一括形変流器は、空芯コイルとしてロゴスキーコイルを用いたので、簡単な構造で検出精度を向上させることができる。
【図面の簡単な説明】
【図１】  この発明の実施の形態１による三相一括形変流器の断面図である。
【図２】  図１のＩＩ−ＩＩ線に沿う断面図である。
【図３】  この発明の実施の形態２による三相一括形変流器を示す正面図である。
【図４】  図３の三相一括形変流器を一部断面で示す側面図である。
【図５】  この発明の実施の形態３による三相一括形変流器を示す正面図である。
【図６】  この発明の実施の形態４による三相一括形変流器を示す正面図である。
【図７】  図６のＶＩＩ−ＶＩＩ線に沿う断面図である。
【図８】  従来の三相一括形変流器の一例の断面図である。
【符号の説明】
１  圧力容器、２ａ〜２ｃ  導体、３ａ  第１のロゴスキーコイル（第１の空芯コイル）、３ｂ  第２のロゴスキーコイル（第２の空芯コイル）、３ｃ  第３のロゴスキーコイル（第３の空芯コイル）、１１，２０  金属アダプタ、１１ａコイル挿入面、１２ａ，２１ａ，３２ａ  第１の導体貫通孔、１２ｂ，２２ａ，３２ｂ  第２の導体貫通孔、１２ｃ，２３ａ，３２ｃ  第３の導体貫通孔、１３ａ，２１ｂ  第１のコイル挿入溝、１３ｂ，２２ｂ  第２のコイル挿入溝、１３ｃ，２３ｂ  第３のコイル挿入溝、１４  相間磁気シールド、１５  外周磁気シールド、１６  端部磁気シールド、２１  第１の金属板、２２  第２の金属板、２３  第３の金属板、３１  絶縁スペーサ、３３ａ  第１のスペーサ溝、３３ｂ  第２のスペーサ溝、３３ｃ  第３のスペーサ溝、３４ａ〜３４ｃ  コイル挿入溝、３５ａ  第１の金属アダプタ、３５ｂ  第２の金属アダプタ、３５ｃ  第３の金属アダプタ。
【図１】
0003842056.tif 000002
【図２】
0003842056.tif 000003
【図３】
0003842056.tif 000004
【図４】
0003842056.tif 000005
【図５】
0003842056.tif 000006
【図６】
0003842056.tif 000007
【図７】
0003842056.tif 000008
【図８】
0003842056.tif 000009